(57)【特許請求の範囲】
【請求項１】
送塵器体の内部を通過路に形成し、該送塵器体に該通過路の入口側に連通する吸引口部及び該通過路の出口側に連通する排出口部を配設し、該排出口部に搬送管を接続し、該通過路の入口側と出口側との間に複数個の送風羽根をもつ送風体を回転自在に配設し、該送塵器体に該送風体を回転させる回転機構を配設し、該吸引口部の近傍位置に該通過路の入口側に臨んで外気を導入可能な外気導入口を形成し、該外気導入口に該外気導入口の開口度合いを調節可能なスライドシャッターからなる吸排量調節機構を設けて構成したことを特徴とする送塵機。
【請求項２】
上記スライドシャッターに上記外気導入口に対する該スライドシャッターのスライド位置により上記外気導入口を遮蔽可能な遮蔽部及び該外気導入口との合致度合により開口度合を調節可能な複数個の通気穴を形成してなることを特徴とする請求項１記載の送塵機。
【請求項３】
上記回転機構はモータからなり、該モータの回転数を可変する回転数調節部を配設したことを特徴とする請求項１又は２記載の送塵機。
【請求項４】
上記送塵機体を脚体に配設し、該脚体に対して送塵機体を上下調節させる上下調節機構を設けてなることを特徴とする請求項１〜３のいずれか１項に記載の送塵機。
【発明の詳細な説明】
【０００１】
【発明の属する技術分野】
本発明は例えば籾摺機や脱穀機の排塵口から排出されてくる籾殻等を道路を越えて田畑まで搬送する際に用いられる送塵機に関するものである。
【０００２】
【従来の技術】
この種の籾殻の搬送に際しては、専ら人力作業により、籾殻をそのまま又は一旦袋詰めしたのちに運搬車等により搬送するようにしている。
【０００３】
【発明が解決しようとする課題】
しかしながら、これら籾殻等は軽量であるが、嵩高であり、籾摺機等から大量に排出されるので、人力作業では作業者に労苦を強いることがあると共に作業性が低下することがあるという不都合を有している。
【０００４】
【課題を解決するための手段】
本発明はこのような課題を解決することを目的とし、本発明のうち、請求項１記載の発明にあっては、送塵器体の内部を通過路に形成し、該送塵器体に該通過路の入口側に連通する吸引口部及び該通過路の出口側に連通する排出口部を配設し、該排出口部に搬送管を接続し、該通過路の入口側と出口側との間に複数個の送風羽根をもつ送風体を回転自在に配設し、該送塵器体に該送風体を回転させる回転機構を配設し、該吸引口部の近傍位置に該通過路の入口側に臨んで外気を導入可能な外気導入口を形成し、該外気導入口に該外気導入口の開口度合いを調節可能なスライドシャッターからなる吸排量調節機構を設けて構成したことを特徴とする送塵機にある。
【０００５】
又、請求項２記載の発明は、上記スライドシャッターに上記外気導入口に対する該スライドシャッターのスライド位置により上記外気導入口を遮蔽可能な遮蔽部及び該外気導入口との合致度合により開口度合を調節可能な複数個の通気穴を形成してなることを特徴とするものであり、又、請求項３記載の発明は、上記回転機構はモータからなり、該モータの回転数を可変する回転数調節部を配設したことを特徴とするものであり、又、請求項４記載の発明は、上記送塵機体を脚体に配設し、該脚体に対して送塵機体を上下調節させる上下調節機構を設けてなることを特徴とするものである。
【０００６】
【発明の実施の形態】
図１乃至図６は本発明の実施の形態例を示し、１は送塵器体であって、内部は空洞箱状の通過路２に形成され、送塵器体１は脚体３に上下調節機構４により上下調節自在に取り付けられている。
【０００７】
この上下調節機構４は脚体３に長穴５を形成し、送塵機体１にネジ穴６を形成し、長穴５を介してネジ穴６に取付ボルト７を螺着し、取付ボルト７の弛緩締付けにより送塵器体１を上下調節自在に固定するように構成している。
【０００８】
又、上記送塵器体１には上記通過路２の入口側２ａに連通するエルボダクト状の吸引口部８及び同じくエルボダクト状の通過路２の出口側２ｂに連通する排出口部９がそれぞれ水平旋回自在に取り付けられている。
【０００９】
１０は送風体であって、上記通過路２の入口側と出口側との間に配置され、送塵器体１の側壁に軸受部１１を形成し、軸受部１１に回転軸１２を回転自在に片持状に横設し、回転軸１２に送風体１０を取付けて構成している。
【００１０】
この送風体１０は四個のアームを放射状に配した取付部材１０ａに送風羽根１０ｂを四個取り付けて構成されている。
【００１１】
又、この場合通過路２内に送風羽根１０ｂの先端回転軌跡に添わせて湾曲板状の風案内板１３が取替自在に送塵器体１に取り付けられている。
【００１２】
１４は回転機構であって、上記送塵器体１の上部に電気式のモータ１５を配備し、上記回転軸１２にプーリ１６を固定すると共にモータ１５の主軸にプーリ１７を固定し、各プーリ１６・１７間にベルト１８を掛回し、モータ１５の駆動回転によりベルト１８を介して送風体１０回転させるように構成している。
【００１３】
１９は外気導入口、２０は吸排量調節機構であって、この場合、吸引口部８の近傍位置に通過路２の入口側２ａに臨んで外気を導入可能な外気導入口１９を形成すると共に外気導入口１９の開口度合いを調節可能な吸排量調節機構２０を設けて構成している。
【００１４】
この場合通過路２の入口側２ａに臨ませて吸引筒部２１を形成し、吸引筒部２１の上部に吸引口部８を形成すると共に吸引筒部２１の前壁に外気導入口１９を形成している。
【００１５】
又、この場合、吸排量調節機構２０は上記吸引筒部２１の前壁部分の上下位置にＬ状のガイド杆２２を対向配置し、ガイド杆２２間にスライドシャッター２３をスライド自在に取付け、スライドシャッター２３に遮蔽部２３ａ及び複数個の通気穴２３ｂを形成し、スライドシャッター２３のスライド操作により遮蔽部２３ａにより外気導入口１９を遮蔽し、又、複数個の通気穴２３ｂと外気導入口１９との合致度合いにより外気導入口１９の開口度合いを調節するように構成している。
【００１６】
２４は回転数調節部であって、回転機構１４としてのモータ１５の回転数を電気的に可変するように構成している。
【００１７】
この実施の形態例は上記構成であるから、例えば籾摺機Ｒの排塵口と吸引口部８とを可撓性を有する合成樹脂製ホース状の接続管Ｋにより接続すると共に排出口部９に可撓性を有する合成樹脂製ホース状の搬送管Ｄを接続し、回転機構１４のモータ１５により送風体１０を図中矢印方向に回転させると、籾摺機Ｒから排出される籾殻等Ｐは送風体１０及び風案内板１３の作用により接続管Ｋを介して吸引口部８より送塵器体１内に吸引され、そのまま送塵器体１内の通過路２を介して排出口部９から排出され、そして、その籾殻Ｐは搬送管Ｄを介して道路を越えて遠方の田畑まで搬送されて排出されることになり、この際、吸引口部８の近傍位置に通過路２の入口側に臨んで外気を導入可能な外気導入口１９が形成され、この外気導入口１９に外気導入口１９の開口度合いを調節可能なスライドシャッター２３からなる吸排量調節機構２０が設けられているから、スライドシャッターのスライド操作により容易に吸排量を調節することができ、外気導入口１９の開口度合いを調節することにより吸引口部８及び排出口部９における吸排量を可変することができ、従って、籾殻の搬送距離に応じて最適な吸排量に調節することができ、それだけ良好な搬送作業を行うことができる。
【００１８】
又、この場合、上記回転機構１４はモータ１５からなり、モータ１５の回転数を可変する回転数調節部２４を配設しているから、例えば、籾殻を飛ばす距離が長い場合には、外気導入口１９の開口度合いを大きくすると共にモータ１５の回転数を上げることになり、又、籾殻を飛ばす距離が短い場合には、外気導入口１９の開口度合いを小さく、或いは閉塞すると共にモータ１５の回転数を下げることになり、これにより一層良好な搬送作業を行うことができる。
【００１９】
又、この場合、上記スライドシャッター２３に上記外気導入口１９に対するスライドシャッター２３のスライド位置により上記外気導入口１９を遮蔽可能な遮蔽部２３ａ及び外気導入口１９との合致度合により開口度合を調節可能な複数個の通気穴２３ｂを形成してなるから、スライドシャッター２３のスライド操作により遮蔽部２３ａにより外気導入口１９を遮蔽することができ、かつ、複数個の通気穴２３ｂと外気導入口１９との合致度合いにより外気導入口１９の開口度合いを調節することができ、スライドシャッター２３のスライド操作により容易に外気導入口１９の閉塞及び吸排量を調節することができ、又、この場合、上記送塵機体１を脚体３に配設し、脚体３に対して送塵機体１を上下調節させる上下調節機構２０を設けているから、籾摺機Ｒや脱穀機等と送塵機体１との相対高さを調節することができ、一層良好な搬送作業を行うことができる。
【００２０】
尚、本発明は上記実施の形態例に限られるものではなく、送塵器体１、脚体３、吸引口部８、排出口部９及び吸排量調節機構２０等の構造や形態並びに材質等は適宜変更して設計されるものである。
【００２１】
【発明の効果】
本発明は上述の如く、請求項１記載の発明にあっては、籾摺機等の排塵口と吸引口部とを接続すると共に排出口部に搬送管を接続し、回転機構により送風体を回転させると、籾摺機等から排出される籾殻等は送風体の回転作用により吸引口部より送塵器体内に吸引され、そのまま送塵器体内の通過路を介して排出口部から排出され、そして、その籾殻等は搬送管を介して遠方まで搬送されて排出されることになり、吸引口部の近傍位置に通過路の入口側に臨んで外気を導入可能な外気導入口が形成され、この外気導入口に外気導入口の開口度合いを調節可能なスライドシャッターからなる吸排量調節機構が設けられているから、スライドシャッターのスライド操作により容易に吸排量を調節することができ、外気導入口の開口度合いを調節することにより吸引口部及び排出口部における吸排量を可変することができ、従って、籾殻の搬送距離に応じて最適な吸排量に調節することができ、それだけ良好な搬送作業を行うことができる。
【００２２】
又、請求項２記載の発明にあっては、上記スライドシャッターに上記外気導入口に対するスライドシャッターのスライド位置により上記外気導入口を遮蔽可能な遮蔽部及び外気導入口との合致度合により開口度合を調節可能な複数個の通気穴を形成してなるから、スライドシャッターのスライド操作により遮蔽部により外気導入口を遮蔽することができ、かつ、複数個の通気穴と外気導入口との合致度合いにより外気導入口の開口度合いを調節することができ、スライドシャッターのスライド操作により容易に外気導入口の閉塞及び吸排量を調節することができる。
【００２３】
又、請求項３記載の発明にあっては、上記回転機構はモータからなり、モータの回転数を可変する回転数調節部を配設しているから、例えば、籾殻を飛ばす距離が長い場合には、外気導入口の開口度合いを大きくすると共にモータの回転数を上げることになり、又、籾殻を飛ばす距離が短い場合には、外気導入口の開口度合いを小さく、或いは閉塞すると共にモータの回転数を下げることになり、これにより一層良好な搬送作業を行うことができる。又、請求項４記載の発明にあっては、上記送塵機体を脚体に配設し、脚体に対して送塵機体を上下調節させる上下調節機構を設けているから、籾摺機や脱穀機等と送塵機体との相対高さを調節することができ、一層良好な搬送作業を行うことができる。
【００２４】
以上、所期の目的を充分達成することができる。
【図面の簡単な説明】
【図１】  本発明の実施の形態例の全体斜視図である。
【図２】  本発明の実施の形態例の全体側面図である。
【図３】  本発明の実施の形態例の部分側断面図である。
【図４】  本発明の実施の形態例の部分斜視図である。
【図５】  本発明の実施の形態例の部分分解斜視図である。
【図６】  本発明の実施の形態例の使用状態図である。
【符号の説明】
１  送塵器体
２  通過路
３  脚体
４  上下調節機構
８  吸引口部
９  排出口部
１０  送風体
１４  回転機構
１９  外気導入口
２０  吸排量調節機構
２３  スライドシャッター
２３ａ  遮蔽部
２３ｂ  通気穴
２４  回転数調節部
【図１】
0003635387.tif 000002
【図２】
0003635387.tif 000003
【図３】
0003635387.tif 000004
【図４】
0003635387.tif 000005
【図５】
0003635387.tif 000006
【図６】
0003635387.tif 000007